(57)【要約】  通過音を低減する。タイヤサイド部Ｓのタイヤサイド面Ｓａに沿ってタイヤ周方向およびタイヤ径方向に交差して延在する複数の凸部９を備え、凸部９は、延在方向における中間部がタイヤサイド面Ｓａからの突出高さの最大位置を含み、かつ中間部の延在方向の両端側に設けられた各先端部がタイヤサイド面Ｓａからの突出高さの最小位置を含んでおり、中間部の突出高さの最大位置が、タイヤ最大幅位置Ｈからタイヤ径方向内外にタイヤ断面高さＷＤの２０％の範囲に配置される。
2018008716.tif 000002
【特許請求の範囲】
【請求項１】
タイヤサイド部のタイヤサイド面に沿ってタイヤ周方向およびタイヤ径方向に交差して延在する複数の凸部を備え、
前記凸部は、延在方向における中間部が前記タイヤサイド面からの突出高さの最大位置を含み、かつ前記中間部の延在方向の両端側に設けられた各先端部が前記タイヤサイド面からの突出高さの最小位置を含んでおり、前記中間部の突出高さの最大位置が、タイヤ最大幅位置からタイヤ径方向内外にタイヤ断面高さの２０％の範囲に配置されることを特徴とする空気入りタイヤ。
【請求項２】
前記凸部は、前記中間部の突出高さの最大位置が、タイヤ最大幅位置からタイヤ径方向内外にタイヤ断面高さの１０％の範囲に配置されることを特徴とする請求項１に記載の空気入りタイヤ。
【請求項３】
前記凸部は、前記中間部の突出高さが２ｍｍ以上１０ｍｍ以下であることを特徴とする請求項１または２に記載の空気入りタイヤ。
【請求項４】
タイヤ周方向に１ｄｅｇあたりの各前記凸部の突出高さのタイヤ周方向での変動量が１ｍｍ／ｄｅｇ以下であることを特徴とする請求項１〜３のいずれか１つに記載の空気入りタイヤ。
【請求項５】
タイヤ周方向に１ｄｅｇあたりの各前記凸部の質量のタイヤ周方向での変動量が０．１ｇ／ｄｅｇ以下であることを特徴とする請求項１〜４のいずれか１つに記載の空気入りタイヤ。
【請求項６】
前記凸部は、タイヤ径方向内側端を基点としたタイヤ径方向に対するタイヤ径方向外側での角度が１５°以上８５°以下であることを特徴とする請求項１〜５のいずれか１つに記載の空気入りタイヤ。
【請求項７】
前記凸部の表面に溝を形成することを特徴とする請求項１〜６のいずれか１つに記載の空気入りタイヤ。
【請求項８】
前記凸部の表面に凹部を形成することを特徴とする請求項１〜７のいずれか１つに記載の空気入りタイヤ。
【請求項９】
各前記凸部のタイヤ周方向における間隔が不均一であることを特徴とする請求項１〜８のいずれか１つに記載の空気入りタイヤ。
【請求項１０】
タイヤ周方向で隣接する各前記凸部が、タイヤ周方向に対する傾斜角度の符号が異なることを特徴とする請求項１〜９のいずれか１つに記載の空気入りタイヤ。
【請求項１１】
車両装着時での車両内外の向きが指定されており、少なくとも車両外側となるタイヤサイド部に前記凸部が形成されていることを特徴とする請求項１〜１０のいずれか１つに記載の空気入りタイヤ。
【発明の詳細な説明】
【技術分野】
【０００１】
本発明は、空気入りタイヤに関する。
【背景技術】
【０００２】
従来、例えば、特許文献１は、自動車のタイヤハウス内に配置される空気入りタイヤであって、少なくとも一方のタイヤサイド部に、タイヤ最大幅位置を含みタイヤ径方向内外に亘って長手状に延在する凸部がタイヤ周方向に間隔をおいて多数配置されており、各前記凸部の延在方向がタイヤ径方向に対して傾斜するとともに、タイヤ周方向で隣接する各前記凸部が、タイヤ径方向に対する傾斜の向きを逆に向けて配置され、前記凸部は、タイヤ周方向に配置される数が１０［個］以上５０［個］以下の範囲を満たす空気入りタイヤが開示されている。この特許文献１では、車両の空気抵抗の低減効果を維持すると共に、ユニフォミティを改善することが示されている。【０００３】
また、特許文献２は、曲線突出部が形成されるサイドウォールを備える車両用タイヤが開示されている。この特許文献２では、サイドウォールに入る空気の流れは、サイドウォールを自然に通らず、車のホイールハウスの内側に移動し、タイヤのトレッド上端を押し下げるダウンフォースを発生させることが示されている。
【先行技術文献】
【特許文献】
【０００４】
【特許文献１】特許第５２４６３７０号公報
【特許文献２】特開２０１３−１８４７４号公報
【発明の概要】
【発明が解決しようとする課題】
【０００５】
特許文献１に示されているように、タイヤサイド部に凸部を設けることで、車両の空気抵抗の低減効果が得られることが知られている。そして、発明者等のさらなる研究の結果、空気入りタイヤの転動により空気の流れが乱されることで、車両の側面において空気の圧力変動が大きくなるため音が発生して車外騒音である通過音が過大となることが分かり、当該車外騒音をタイヤサイド部の凸部によって低減し得ることが見いだされた。【０００６】
本発明は、上記に鑑みてなされたものであって、通過音を低減することのできる空気入りタイヤを提供することを目的とする。
【課題を解決するための手段】
【０００７】
上述した課題を解決し、目的を達成するために、本発明の一態様に係る空気入りタイヤは、タイヤサイド部のタイヤサイド面に沿ってタイヤ周方向およびタイヤ径方向に交差して延在する複数の凸部を備え、前記凸部は、延在方向における中間部が前記タイヤサイド面からの突出高さの最大位置を含み、かつ前記中間部の延在方向の両端側に設けられた各先端部が前記タイヤサイド面からの突出高さの最小位置を含んでおり、前記中間部の突出高さの最大位置が、タイヤ最大幅位置からタイヤ径方向内外にタイヤ断面高さの２０％の範囲に配置されることを特徴とする。【０００８】
この空気入りタイヤによれば、車両の走行時に車両に装着した空気入りタイヤが回転すると、回転移動する凸部が、その周辺の空気を乱流化させて空気の流れのよどみを改善する。このよどみの改善により空気入りタイヤの進行方向の後側において、タイヤハウスから発生する渦流が細分化されることにより車両の側面に沿う空気の圧力変動が小さくなり車両の側面に沿う空気が整流化されることから通過音を低減することができる。【０００９】
また、本発明の一態様に係る空気入りタイヤでは、前記凸部は、前記中間部の突出高さの最大位置が、タイヤ最大幅位置からタイヤ径方向内外にタイヤ断面高さの１０％の範囲に配置されることが好ましい。【００１０】
この空気入りタイヤによれば、中間部の突出高さの最大位置が、タイヤ最大幅位置のより近傍に配置されることで、周辺の空気を乱流化させて空気の流れのよどみを改善する作用が顕著となる。この結果、通過音を低減する効果をより顕著に得ることができる。【００１１】
また、本発明の一態様に係る空気入りタイヤでは、前記凸部は、前記中間部の突出高さが２ｍｍ以上１０ｍｍ以下であることが好ましい。【００１２】
中間部の突出高さが２ｍｍ未満であると、周辺の空気を乱流化させて空気の流れのよどみを改善する作用が得難くなる。一方、中間部の突出高さが１０ｍｍを超えると、凸部に衝突する空気の流れが増加することで空気抵抗が増加する傾向となる。このため、通過音を低減する効果を顕著に得るうえで、中間部の突出高さを２ｍｍ以上１０ｍｍ以下とすることが好ましい。【００１３】
また、本発明の一態様に係る空気入りタイヤでは、タイヤ周方向に１ｄｅｇあたりの各前記凸部の突出高さのタイヤ周方向での変動量が１ｍｍ／ｄｅｇ以下であることが好ましい。【００１４】
この空気入りタイヤによれば、凸部のタイヤ周方向での突出高さの変動を規定することで凸部の形状変動によって発生する風切音を抑制することができ、この風切音により凸部から発生する騒音を低減することができる。【００１５】
また、本発明の一態様に係る空気入りタイヤでは、タイヤ周方向に１ｄｅｇあたりの各前記凸部の質量のタイヤ周方向での変動量が０．１ｇ／ｄｅｇ以下であることが好ましい。【００１６】
この空気入りタイヤによれば、凸部のタイヤ周方向での質量変動を規定することで凸部の質量変動を抑え、空気入りタイヤの回転に伴う振動を抑制することができ、この振動により凸部から発生する騒音を低減することができる。【００１７】
また、本発明の一態様に係る空気入りタイヤでは、前記凸部は、タイヤ径方向内側端を基点としたタイヤ径方向に対するタイヤ径方向外側での角度が１５°以上８５°以下であることが好ましい。【００１８】
この空気入りタイヤによれば、凸部のタイヤ径方向に対する角度を規定することで、凸部に空気が衝突することによって発生する空気抵抗を低減することができる。【００１９】
また、本発明の一態様に係る空気入りタイヤでは、前記凸部の表面に溝を形成することが好ましい。【００２０】
この空気入りタイヤによれば、溝が形成されていることにより、凸部の剛性が低下するため、凸部によりタイヤサイド部が剛構造となることによる乗り心地性の低下を抑えることができる。しかも、溝が形成されていることにより、凸部の質量が低下するため、凸部によりタイヤサイド部のユニフォミティを抑えることができる。【００２１】
また、本発明の一態様に係る空気入りタイヤでは、前記凸部の表面に凹部を形成することが好ましい。【００２２】
この空気入りタイヤによれば、凹部が形成されていることにより、凸部の剛性が低下するため、凸部によりタイヤサイド部が剛構造となることによる乗り心地性の低下を抑えることができる。しかも、凹部が形成されていることにより、凸部の質量が低下するため、凸部によりタイヤサイド部の質量増加によるユニフォミティの低下を抑えることができる。【００２３】
また、本発明の一態様に係る空気入りタイヤでは、各前記凸部のタイヤ周方向における間隔が不均一であることが好ましい。【００２４】
この空気入りタイヤによれば、タイヤサイド部のタイヤサイド面に沿う空気流に対して各凸部のタイヤ周方向の周期性を打ち消すことから、各凸部から発生する音圧が周波数の違いにより互いに分散されたり打ち消されたりするため、空気入りタイヤが生じる騒音（音圧レベル）を低減することができる。【００２５】
また、本発明の一態様に係る空気入りタイヤでは、タイヤ周方向で隣接する各前記凸部が、タイヤ周方向に対する傾斜角度の符号が異なることが好ましい。【００２６】
この空気入りタイヤによれば、タイヤ周方向で隣接する各凸部の傾斜角度が正逆の関係にあることで、車両に装着する際の回転方向性をなくすことで利便性を向上することができる。【００２７】
また、本発明の一態様に係る空気入りタイヤでは、車両装着時での車両内外の向きが指定されており、少なくとも車両外側となるタイヤサイド部に前記凸部が形成されていることが好ましい。【００２８】
この空気入りタイヤによれば、車両外側のタイヤサイド部は、車両への装着時にタイヤハウスから外側に現れるため、この車両外側のタイヤサイド部に凸部を設けることで、空気の流れを車両外側に押し出すことができるので、空気入りタイヤの進行方向の後側において、タイヤハウスから発生する渦流を細分化する作用を顕著に得ることができ、車両の側面に沿う空気の圧力変動が小さくなり車両の側面に沿う空気が整流化されて通過音を低減する効果を顕著に得ることができる。
【発明の効果】
【００２９】
本発明に係る空気入りタイヤは、通過音を低減することができる。
【図面の簡単な説明】
【００３０】
【図１】図１は、本発明の実施形態に係る空気入りタイヤの子午断面図である。
【図２】図２は、本発明の実施形態に係る空気入りタイヤの側面図である。
【図３】図３は、凸部を空気入りタイヤの側面から視た拡大図である。
【図４】図４は、凸部の側面図である。
【図５】図５は、本発明の実施形態に係る空気入りタイヤの他の例の側面図である。
【図６】図６は、本発明の実施形態に係る空気入りタイヤの他の例の側面図である。
【図７】図７は、本発明の実施形態に係る空気入りタイヤの他の例の側面図である。
【図８】図８は、本発明の実施形態に係る空気入りタイヤの他の例の側面図である。
【図９】図９は、本発明の実施形態に係る空気入りタイヤの他の例の側面図である。
【図１０】図１０は、本発明の実施形態に係る空気入りタイヤの他の例の側面図である。
【図１１】図１１は、凸部の短手方向の断面図である。
【図１２】図１２は、凸部の短手方向の断面図である。
【図１３】図１３は、凸部の短手方向の断面図である。
【図１４】図１４は、凸部の短手方向の断面図である。
【図１５】図１５は、凸部の短手方向の断面図である。
【図１６】図１６は、凸部の短手方向の断面図である。
【図１７】図１７は、凸部の短手方向の断面図である。
【図１８】図１８は、凸部の短手方向の断面図である。
【図１９】図１９は、凸部の短手方向の断面図である。
【図２０】図２０は、凸部の短手方向の断面図である。
【図２１】図２１は、凸部の短手方向の断面図である。
【図２２】図２２は、凸部の短手方向の断面図である。
【図２３】図２３は、従来の空気入りタイヤの作用の説明図である。
【図２４】図２４は、従来の空気入りタイヤの作用の説明図である。
【図２５】図２５は、本発明の実施形態に係る空気入りタイヤの作用の説明図である。
【図２６】図２６は、本発明の実施形態に係る空気入りタイヤの作用の説明図である。
【図２７】図２７は、本発明の実施形態に係る空気入りタイヤの作用の説明図である。
【図２８】図２８は、溝が形成された凸部を空気入りタイヤの側面から視た拡大図である。
【図２９】図２９は、図２８におけるＡ−Ａ断面図である。
【図３０】図３０は、溝が形成された凸部の他の例を空気入りタイヤの側面から視た拡大図である。
【図３１】図３１は、凹部が形成された凸部を空気入りタイヤの側面から視た拡大図である。
【図３２】図３２は、図３１におけるＢ−Ｂ断面図である。
【図３３】図３３は、溝および凹部が形成された凸部を空気入りタイヤの側面から視た拡大図である。
【図３４】図３４は、本発明の実施例に係る空気入りタイヤの性能試験の結果を示す図表である。
【図３５】図３５は、本発明の実施例に係る空気入りタイヤの性能試験の結果を示す図表である。
【図３６】図３６は、従来例に係る空気入りタイヤの一部の側面図である。
【発明を実施するための形態】
【００３１】
以下に、本発明の実施形態を図面に基づいて詳細に説明する。なお、この実施形態によりこの発明が限定されるものではない。また、この実施形態の構成要素には、当業者が置換可能かつ容易なもの、あるいは実質的に同一のものが含まれる。また、この実施形態に記載された複数の変形例は、当業者自明の範囲内にて任意に組み合わせが可能である。
【００３２】
図１は、本実施形態に係る空気入りタイヤの子午断面図である。
【００３３】
以下の説明において、タイヤ径方向とは、空気入りタイヤ１の回転軸Ｐ（図２など参照）と直交する方向をいい、タイヤ径方向内側とはタイヤ径方向において回転軸Ｐに向かう側、タイヤ径方向外側とはタイヤ径方向において回転軸Ｐから離れる側をいう。また、タイヤ周方向とは、回転軸Ｐを中心軸とする周り方向をいう。また、タイヤ幅方向とは、回転軸Ｐと平行な方向をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。タイヤ赤道面ＣＬとは、空気入りタイヤ１の回転軸Ｐに直交するとともに、空気入りタイヤ１のタイヤ幅の中心を通る平面である。タイヤ幅は、タイヤ幅方向の外側に位置する部分同士のタイヤ幅方向における幅、つまり、タイヤ幅方向においてタイヤ赤道面ＣＬから最も離れている部分間の距離である。タイヤ赤道線とは、タイヤ赤道面ＣＬ上にあって空気入りタイヤ１のタイヤ周方向に沿う線をいう。本実施形態では、タイヤ赤道線にタイヤ赤道面と同じ符号「ＣＬ」を付す。
【００３４】
空気入りタイヤ１は、図１に示すように、トレッド部２と、その両側のショルダー部３と、各ショルダー部３から順次連続するサイドウォール部４およびビード部５とを有している。また、この空気入りタイヤ１は、カーカス層６と、ベルト層７と、ベルト補強層８とを備えている。
【００３５】
トレッド部２は、ゴム材（トレッドゴム）からなり、空気入りタイヤ１のタイヤ径方向の最も外側で露出し、その表面が空気入りタイヤ１の輪郭となる。トレッド部２の外周表面、つまり、走行時に路面と接触する踏面には、トレッド面２１が形成されている。トレッド面２１は、タイヤ周方向に沿って延び、タイヤ赤道線ＣＬと平行なストレート主溝である複数（本実施形態では４本）の主溝２２が設けられている。そして、トレッド面２１は、これら複数の主溝２２により、タイヤ周方向に沿って延び、タイヤ赤道線ＣＬと平行なリブ状の陸部２３が複数形成されている。また、図には明示しないが、トレッド面２１は、各陸部２３において、主溝２２に交差するラグ溝が設けられている。陸部２３は、ラグ溝によってタイヤ周方向で複数に分割されている。また、ラグ溝は、トレッド部２のタイヤ幅方向最外側でタイヤ幅方向外側に開口して形成されている。なお、ラグ溝は、主溝２２に連通している形態、または主溝２２に連通していない形態の何れであってもよい。
【００３６】
ショルダー部３は、トレッド部２のタイヤ幅方向両外側の部位である。また、サイドウォール部４は、空気入りタイヤ１におけるタイヤ幅方向の最も外側に露出したものである。また、ビード部５は、ビードコア５１とビードフィラー５２とを有する。ビードコア５１は、スチールワイヤであるビードワイヤをリング状に巻くことにより形成されている。ビードフィラー５２は、カーカス層６のタイヤ幅方向端部がビードコア５１の位置で折り返されることにより形成された空間に配置されるゴム材である。
【００３７】
カーカス層６は、各タイヤ幅方向端部が、一対のビードコア５１でタイヤ幅方向内側からタイヤ幅方向外側に折り返され、かつタイヤ周方向にトロイド状に掛け回されてタイヤの骨格を構成するものである。このカーカス層６は、タイヤ周方向に対する角度がタイヤ子午線方向に沿いつつタイヤ周方向にある角度を持って複数並設されたカーカスコード（図示せず）が、コートゴムで被覆されたものである。カーカスコードは、有機繊維（ポリエステルやレーヨンやナイロンなど）からなる。このカーカス層６は、少なくとも１層で設けられている。
【００３８】
ベルト層７は、少なくとも２層のベルト７１，７２を積層した多層構造をなし、トレッド部２においてカーカス層６の外周であるタイヤ径方向外側に配置され、カーカス層６をタイヤ周方向に覆うものである。ベルト７１，７２は、タイヤ周方向に対して所定の角度（例えば、２０°〜３０°）で複数並設されたコード（図示せず）が、コートゴムで被覆されたものである。コードは、スチールまたは有機繊維（ポリエステルやレーヨンやナイロンなど）からなる。また、重なり合うベルト７１，７２は、互いのコードが交差するように配置されている。
【００３９】
ベルト補強層８は、ベルト層７の外周であるタイヤ径方向外側に配置されてベルト層７をタイヤ周方向に覆うものである。ベルト補強層８は、タイヤ周方向に略平行（±５°）でタイヤ幅方向に複数並設されたコード（図示せず）がコートゴムで被覆されたものである。コードは、スチールまたは有機繊維（ポリエステルやレーヨンやナイロンなど）からなる。図１で示すベルト補強層８は、ベルト層７のタイヤ幅方向端部を覆うように配置されている。ベルト補強層８の構成は、上記に限らず、図には明示しないが、ベルト層７全体を覆うように配置された構成、または、例えば２層の補強層を有し、タイヤ径方向内側の補強層がベルト層７よりもタイヤ幅方向で大きく形成されてベルト層７全体を覆うように配置され、タイヤ径方向外側の補強層がベルト層７のタイヤ幅方向端部のみを覆うように配置されている構成、あるいは、例えば２層の補強層を有し、各補強層がベルト層７のタイヤ幅方向端部のみを覆うように配置されている構成であってもよい。すなわち、ベルト補強層８は、ベルト層７の少なくともタイヤ幅方向端部に重なるものである。また、ベルト補強層８は、帯状（例えば幅１０［ｍｍ］）のストリップ材をタイヤ周方向に巻き付けて設けられている。
【００４０】
図２は、本発明の実施形態に係る空気入りタイヤの側面図である。図３は、凸部を空気入りタイヤの側面から視た拡大図である。図４は、凸部の側面図である。図５〜図１０は、本実施形態に係る空気入りタイヤの他の例の側面図である。図１１〜図２２は、凸部の短手方向の断面図である。図２３および図２４は、従来の空気入りタイヤの作用の説明図である。図２５〜図２７は、本実施形態に係る空気入りタイヤの作用の説明図である。図２８は、溝が形成された凸部を空気入りタイヤの側面から視た拡大図である。図２９は、図２８におけるＡ−Ａ断面図である。図３０は、溝が形成された凸部の他の例を空気入りタイヤの側面から視た拡大図である。図３１は、凹部が形成された凸部を空気入りタイヤの側面から視た拡大図である。図３２は、図３１におけるＢ−Ｂ断面図である。図３３は、溝および凹部が形成された凸部を空気入りタイヤの側面から視た拡大図である。
【００４１】
以下の説明において、タイヤサイド部Ｓとは、図１に示すように、トレッド部２の接地端Ｔからタイヤ幅方向外側であってリムチェックラインＲからタイヤ径方向外側の範囲で一様に連続する面をいう。また、接地端Ｔとは、空気入りタイヤ１を正規リムにリム組みし、かつ正規内圧を充填するとともに正規荷重の７０％をかけたとき、この空気入りタイヤ１のトレッド部２のトレッド面２１が路面と接地する領域において、タイヤ幅方向の両最外端をいい、タイヤ周方向に連続する。また、リムチェックラインＲとは、タイヤのリム組みが正常に行われているか否かを確認するためのラインであり、一般には、ビード部５の表側面において、リムフランジよりもタイヤ径方向外側であってリムフランジ近傍となる部分に沿ってタイヤ周方向に連続する環状の凸線として示されている。
【００４２】
また、タイヤ最大幅位置Ｈとは、図１に示すように、タイヤ断面幅ＨＷの端となり、最もタイヤ幅方向の大きい位置である。タイヤ断面幅ＨＷとは、空気入りタイヤ１を正規リムにリム組みし、かつ正規内圧を充填した無負荷状態のときに、最もタイヤ幅方向の大きいタイヤ総幅からタイヤ側面の模様・文字などを除いた幅である。なお、リムを保護するリムプロテクトバー（タイヤ周方向に沿って設けられてタイヤ幅方向外側に突出するもの）が設けられたタイヤにおいては、当該リムプロテクトバーが最もタイヤ幅方向の大きい部分となるが、本実施形態で定義するタイヤ断面幅ＨＷは、リムプロテクトバーを除外する。
【００４３】
なお、正規リムとは、ＪＡＴＭＡで規定する「標準リム」、ＴＲＡで規定する「Design  Rim」、あるいは、ＥＴＲＴＯで規定する「Measuring  Rim」である。また、正規内圧とは、ＪＡＴＭＡで規定する「最高空気圧」、ＴＲＡで規定する「TIRE  LOAD  LIMITS  AT  VARIOUS  COLD  INFLATION  PRESSURES」に記載の最大値、あるいはＥＴＲＴＯで規定する「INFLATION  PRESSURES」である。また、正規荷重とは、ＪＡＴＭＡで規定する「最大負荷能力」、ＴＲＡで規定する「TIRE  LOAD  LIMITS  AT  VARIOUS  COLD  INFLATION  PRESSURES」に記載の最大値、あるいはＥＴＲＴＯで規定する「LOAD  CAPACITY」である。
【００４４】
本実施形態の空気入りタイヤ１は、図２〜図４に示すように、少なくとも一方のタイヤサイド部Ｓにおいて、当該タイヤサイド部Ｓの表面のプロファイルであるタイヤサイド面Ｓａよりタイヤの外側に突出する凸部９が設けられている。凸部９は、ゴム材（タイヤサイド部Ｓを構成するゴム材であっても、当該ゴム材とは異なるゴム材であってもよい）からなり、タイヤサイド部Ｓのタイヤサイド面Ｓａに沿ってタイヤ周方向およびタイヤ径方向に交差して延在する突条として形成されている。延在方向は、図３に示すように、各端９Ｄを結ぶ直線Ｌとする。なお、本実施形態において、各図に示す凸部９は、空気入りタイヤ１の側面視でＣ字状に湾曲して形成されている。凸部９は、湾曲に限らず、空気入りタイヤ１の側面視で直線状に形成されていても、くの字に屈曲して形成されていても、Ｓ字状に形成されていても、蛇行して構成されていても、ジグザグ状に形成されていてもよい。そして、どの構成においても延在方向は各端を結ぶ直線とする。
【００４５】
また、凸部９は、図３および図４に示すように、延在方向における中間部９Ａ、および中間部９Ａの延在方向の両側に連続して設けられた各先端部９Ｂで構成されている。中間部９Ａは、凸部９の延在方向の長さＬの中央９Ｃから延在方向の両側に長さＬの２５％の範囲の部分である。先端部９Ｂは、中間部９Ａの延在方向の両側にさらに延在して設けられ、延在方向の各端９Ｄから凸部９の延在方向の長さＬの５％を除く範囲の部分である。凸部９の延在方向の長さＬは、凸部９の各端９Ｄ間の最短距離とする。
【００４６】
そして、中間部９Ａは、タイヤサイド面Ｓａからの突出高さｈの最大位置ｈＨを含む。また、先端部９Ｂは、タイヤサイド面Ｓａからの突出高さｈの最小位置ｈＬを含む。図４では、凸部９の延在方向の突出高さｈは、一方の端９Ｄから中央９Ｃに向かって徐々に高くなり、中央９Ｃから他方の端９Ｄに向かって徐々に低くなっている。この場合、突出高さｈの最大位置ｈＨは中央９Ｃに一致し、最小位置ｈＬは端９Ｄから長さＬの５％の位置であって先端部９Ｂの端に一致する。なお、図４において、凸部９の延在方向の突出高さｈは、円弧状に変化して示しているが、この限りではなく、直線状に変化していてもよい。また、最大位置ｈＨは、中間部９Ａ全体であってもよく、この場合に先端部９Ｂは中間部９Ａから徐々に突出高さｈが低くなる。
【００４７】
また、凸部９は、図１〜図４に示すように、タイヤサイド部Ｓの範囲において、中間部９Ａの突出高さｈの最大位置ｈＨが、タイヤ最大幅位置Ｈからタイヤ径方向内外にタイヤ断面高さＷＤの２０％の範囲ＦＤ（＝０．２ＷＤ×２）に配置される。すなわち、凸部９は、中間部９Ａの突出高さｈの最大位置ｈＨが上記範囲ＦＤに配置され、先端部９Ｂは上記範囲ＦＤ外に配置される。この凸部９は、タイヤ周方向に多数配置されている。なお、タイヤ断面高さＷＤは、空気入りタイヤ１を正規リムにリム組みし、かつ正規内圧を充填した無負荷状態のときの、タイヤ外径とリム径との差の１／２をいう。
【００４８】
凸部９の配置について、図２および図６に示すように、各凸部９がタイヤ周方向で間隔をおいて設けられていてもよく、図５に示すように、タイヤ周方向で隣接する凸部９がタイヤ径方向で一部重複して設けられていてもよい。図５に示すような各凸部９がタイヤ径方向で一部重複して設けられている場合、重複部位は、中間部９Ａを除く部位であって先端部９Ｂや先端部９Ｂの端（端９Ｄから長さＬの５％の範囲）とする。また、凸部９の配置について、図７〜図１０に示すように、タイヤ周方向で隣接する凸部９がタイヤ周方向およびタイヤ径方向に対する延在方向の傾きが異なっていてもよい。このようにタイヤ周方向で隣接する凸部９がタイヤ周方向およびタイヤ径方向に対する延在方向の傾きが異なっている場合は、当該タイヤ周方向で隣接する凸部９がタイヤ径方向で一部重複せずタイヤ周方向で間隔をおいて設けられている。
【００４９】
凸部９の延在方向に直交する短手方向の断面形状について、図１１に示す凸部９は、短手方向の断面形状が四角形状とされている。図１２に示す凸部９は、短手方向の断面形状が三角形状とされている。図１３に示す凸部９は、短手方向の断面形状が台形状とされている。
【００５０】
また、凸部９の短手方向の断面形状は、曲線を基にした外形であってもよい。図１４に示す凸部９は、短手方向の断面形状が半円形状とされている。その他、図には明示しないが、凸部９の短手方向の断面形状は、例えば、半楕円形状であったり、半長円形状であったりする様々な円弧に基づく形状であってもよい。
【００５１】
また、凸部９の短手方向の断面形状は、直線および曲線を組み合わせた外形であってもよい。図１５に示す凸部９は、短手方向の断面形状が四角形状の角を曲線とされている。図１６に示す凸部９は、短手方向の断面形状が三角形状の角を曲線とされている。また、凸部９の短手方向の断面形状は、図１５〜図１７に示すように、タイヤサイド部Ｓから突出する根元部分を曲線とした形状とされていてもよい。
【００５２】
また、凸部９の短手方向の断面形状は、様々な形状の組み合わせであってもよい。図１８に示す凸部９は、四角形状の頂部が複数（図１８では２つ）の三角形状でジグザグ状とされている。図１９に示す凸部９は、四角形状の頂部が１つの三角形状で尖って形成されている。図２０に示す凸部９は、四角形状の頂部が四角形状に凹んで形成されている。図２１に示す凸部９は、四角形状の頂部が四角形に凹んで形成され、凹みの両側が突出高さを変えて形成されている。図２２に示す凸部９は、四角形状の台部９ａがタイヤサイド部Ｓから突出形成され、その台部９ａの上部に四角形状が複数（図２２では２つ）突出形成されている。その他、図には明示しないが、凸部９の短手方向の断面形状は、四角形状の頂部が波形であったりする様々な形状であってもよい。
【００５３】
そして、上述したような凸部９の短手方向の断面形状において、本実施形態では、中間部９Ａにおける突出高さｈの最大位置ｈＨで断面積が最も大きく、先端部９Ｂにおける突出高さｈの最小位置ｈＬで断面積が小さい。そして、短手方向の幅Ｗは、突出高さｈの変化に合わせて最大位置ｈＨで最も大きく、最小位置ｈＬで小さくなるように変化しても、変化しなくてもよい。
【００５４】
空気入りタイヤ１の作用について説明する。まず、凸部９を有さない従来の空気入りタイヤ１１は、図２３に示すように、リム５０に組み込んで車両１００に装着することで車両１００のタイヤハウス１０１内に配置される。この状態において、空気入りタイヤ１１が回転方向Ｙ１で回転すると、車両１００は方向Ｙ２に向かって走行する。この車両１００の走行時に、空気入りタイヤ１１の周辺において空気の流れがよどむことになる。すると、図２４に示すように、このよどみにより空気入りタイヤ１１の進行方向の後側において、タイヤハウス１０１から発生する大きな渦流により車両１００の側面１０２に沿う空気の圧力変動が大きくなって車両１００の側面１０２に沿う空気が大きく乱れることから車外騒音すなわち通過音が過大となる。
【００５５】
このような現象に対し、本実施形態の空気入りタイヤ１は、図２５に示すように、同様にリム５０に組み込んで車両１００に装着することで車両１００のタイヤハウス１０１内に配置される。この状態において、空気入りタイヤ１が回転方向Ｙ１で回転すると、車両１００は方向Ｙ２に向かって走行する。この車両１００の走行時に、方向Ｙ１に回転移動する凸部９が、その周辺の空気を乱流化させて上述した空気の流れのよどみを改善する。すると、図２６に示すように、このよどみの改善により空気入りタイヤ１の進行方向の後側において、タイヤハウス１０１から発生する渦流が細分化されることにより車両１００の側面１０２に沿う空気の圧力変動が小さくなり車両１００の側面１０２に沿う空気が整流化されることから車外騒音すなわち通過音が低減される。このような作用は、図２７に示すように、タイヤ周方向およびタイヤ径方向に対する凸部９の傾きが図２５とは逆に反転しても得ることが可能である。
【００５６】
従って、本実施形態の空気入りタイヤ１によれば、通過音を低減することができる。
【００５７】
ところで、従来の空気入りタイヤ１１では、空気入りタイヤ１１の周辺において空気の流れのよどみを避けるようにタイヤハウス１０１内の下方から上方に向かう空気の流れが生じることで、車両１００が上方に持ち上げられる力であるリフトが発生する。一方で、よどみを避けるように、タイヤハウス１０１の外側で車両１００から離れる空気の膨らみが生じることで、空気抵抗となる。
【００５８】
このような現象に対し、本実施形態の空気入りタイヤ１によれば、車両１００の走行時に、方向Ｙ１に回転移動する凸部９が、その周辺の空気を乱流化させて上述した空気の流れのよどみを改善する。具体的に、空気入りタイヤ１の回転時の下部（回転軸Ｐより下側）では、車両１００の底部を流れる空気流速を増加することで、タイヤハウス１０１内で下方から上方に向かう空気の流れが低減され、上方への空気の圧力が抑制される。この結果、リフトを抑制することができる。このリフトの抑制（リフト低減性能）は、ダウンフォースを増加させることになり、空気入りタイヤ１の接地性を向上させ、車両１００の走行性能である操縦安定性能の向上に寄与する。一方、空気入りタイヤ１の回転時の上部（回転軸Ｐより上側）では、乱流境界層が発生し、空気入りタイヤ１における空気の流れが促進される。この結果、通過する空気の広がりが抑えられ、空気入りタイヤ１の空気抵抗を低減することができる。この空気抵抗の低減は、車両１００の燃費の向上に寄与する。このような作用は、図２７に示すように、タイヤ周方向およびタイヤ径方向に対する凸部９の傾きが図２５とは逆に反転しても得ることが可能である。
【００５９】
しかも、本実施形態の空気入りタイヤ１によれば、凸部９は、タイヤ周方向およびタイヤ径方向に交差する延在方向における中間部９Ａがタイヤサイド面Ｓａからの突出高さｈの最大位置ｈＨを含み、かつ中間部９Ａの延在方向の両端側に設けられた各先端部９Ｂがタイヤサイド面Ｓａからの突出高さｈの最小位置ｈＬを含んでいるため、先端部９Ｂにおいて凸部９の質量が少なくなる。この結果、凸部９の先端部９Ｂ付近においてタイヤサイド面Ｓａ側との急激な質量変化が抑えられるので、凸部９の耐久性を向上することができ、かつタイヤ周方向の均一性が向上するため、ユニフォミティを向上することができる。
【００６０】
従って、本実施形態の空気入りタイヤ１によれば、通過音を低減することができ、リフトを低減することができ、耐久性を向上することができ、かつユニフォミティを良好に保つことができる。
【００６１】
また、本実施形態の空気入りタイヤ１では、凸部９は、中間部９Ａの突出高さｈの最大位置ｈＨが、タイヤ最大幅位置Ｈからタイヤ径方向内外にタイヤ断面高さの１０％の範囲に配置されることが好ましい。
【００６２】
この空気入りタイヤ１によれば、中間部９Ａの突出高さｈの最大位置ｈＨが、タイヤ最大幅位置Ｈのより近傍に配置されることで、周辺の空気を乱流化させて上述した空気の流れのよどみを改善する作用が顕著となる。この結果、通過音を低減する効果や、リフトを低減する効果をより顕著に得ることができる。
【００６３】
また、本実施形態の空気入りタイヤ１では、凸部９は、中間部９Ａの突出高さｈが２ｍｍ以上１０ｍｍ以下であることが好ましい。
【００６４】
中間部９Ａの突出高さｈが２ｍｍ未満であると、周辺の空気を乱流化させて上述した空気の流れのよどみを改善する作用が得難くなる。一方、中間部９Ａの突出高さｈが１０ｍｍを超えると、凸部９に衝突する空気の流れが増加することで空気抵抗が増加する傾向となる。このため、通過音を低減すると共に空気抵抗を低減する効果を顕著に得るうえで、中間部９Ａの突出高さｈを２ｍｍ以上１０ｍｍ以下とすることが好ましい。
【００６５】
また、本実施形態の空気入りタイヤ１では、図２に示すように、回転軸Ｐからタイヤ径方向に切断したタイヤ周方向に１ｄｅｇあたりの各凸部９の突出高さｈのタイヤ周方向での変動量が１ｍｍ／ｄｅｇ以下であることが好ましい。
【００６６】
この空気入りタイヤ１によれば、凸部９のタイヤ周方向での突出高さｈの変動を規定することで凸部９の形状変動によって発生する風切音を抑制することができ、この風切音により凸部９から発生する騒音を低減することができる。しかも、この空気入りタイヤ１によれば、凸部９を含むタイヤ周方向での突出高さｈの変動を規定することでタイヤ周方向の均一性が向上するため、ユニフォミティを向上する効果を顕著に得ることができる。
【００６７】
また、本実施形態の空気入りタイヤ１では、図２に示すように、回転軸Ｐからタイヤ径方向に切断したタイヤ周方向に１ｄｅｇあたりの凸部９の質量のタイヤ周方向での変動量が０．１ｇ／ｄｅｇ以下であることが好ましい。
【００６８】
この空気入りタイヤ１によれば、凸部９のタイヤ周方向での質量変動を規定することで凸部９の質量変動を抑え、空気入りタイヤ１の回転に伴う振動を抑制することができ、この振動により凸部９から発生する騒音を低減することができる。しかも、この空気入りタイヤ１によれば、凸部９を含むタイヤ周方向での質量の変動を規定することでタイヤ周方向の均一性が向上するため、ユニフォミティを向上する効果を顕著に得ることができる。
【００６９】
また、本実施形態の空気入りタイヤ１では、図２に示すように、凸部９は、タイヤ径方向内側端を基点としたタイヤ径方向に対するタイヤ径方向外側での角度αが１５°以上８５°以下であることが好ましい。
【００７０】
この空気入りタイヤ１によれば、角度αが１５°以上であることで、タイヤ軸からみて右側または左側に位置する凸部に発生する空気抵抗の向きをタイヤ進行方向から逸らすことができるため、空気抵抗を低減できる。一方、角度αが８５°以下であることで、タイヤ軸からみて上側または下側に位置する凸部に発生する空気抵抗の向きをタイヤ進行方向から逸らすことができるため、空気抵抗を低減できる。
【００７１】
また、本実施形態の空気入りタイヤ１では、図２８〜図３０に示すように、凸部９の表面に溝９Ｅを形成することが好ましい。
【００７２】
この空気入りタイヤ１によれば、溝９Ｅが形成されていることにより、凸部９の剛性が低下するため、凸部９によりタイヤサイド部Ｓが剛構造となることによる乗り心地性の低下を抑えることができる。しかも、溝９Ｅが形成されていることにより、凸部９の質量が低下するため、凸部９によりタイヤサイド部Ｓのユニフォミティを抑えることができる。
【００７３】
なお、溝９Ｅは、図２８に示すように、凸部９の延在方向に交差するように長さＬに対して所定間隔で複数設けられている。また、溝９Ｅは、凸部９の延在方向に対して交差する角度βは特に規定がないが、各溝９Ｅで同じくすることが、凸部９の延在方向での極度の質量変化を抑える上で好ましい。また、溝９Ｅは、図３０に示すように、凸部９の短手方向の中央を通過する中心線ＳＬの接線ＧＬに対して同じ角度θ（例えば、θ＝９０°）とすることが、凸部９の延在方向での極度の質量変化を抑える上で好ましい。また、溝９Ｅは、溝幅が２ｍｍ以下とされていることが、空力的な影響、すなわち、周辺の空気を乱流化させて空気の流れのよどみを改善させたり、車両１００の底部を流れる空気流速を増加させたり、乱流境界層を発生させたりする作用に影響が少なく好ましい。また、溝９Ｅは、図２９に示すように、溝深さｄ１が、凸部９の突出高さｈ以下であることが、凸部９を途中で分断せずに、周辺の空気を乱流化させて空気の流れのよどみを改善させたり、車両１００の底部を流れる空気流速を増加させたり、乱流境界層を発生させたりする作用を得るうえで好ましい。溝９Ｅの溝深さｄ１は、例えば、凸部９の突出高さｈの９０％以下であることが好ましい。なお、図２９における凸部９の短手方向の断面の三角形状は一例である。
【００７４】
また、本実施形態の空気入りタイヤ１では、図３１および図３２に示すように、凸部９の表面に凹部９Ｆを形成することが好ましい。
【００７５】
この空気入りタイヤ１によれば、凹部９Ｆが形成されていることにより、凸部９の剛性が低下するため、凸部９によりタイヤサイド部Ｓが剛構造となることによる乗り心地性の低下を抑えることができる。しかも、凹部９Ｆが形成されていることにより、凸部９の質量が低下するため、凸部９によりタイヤサイド部Ｓの質量増加によるユニフォミティの低下を抑えることができる。
【００７６】
なお、凹部９Ｆは、図３１に示すように、凸部９の延在方向に沿って所定間隔で複数設けられている。また、凹部９Ｆは、凸部９の幅Ｗが延在方向で変化する場合、幅Ｗの変化に応じて大きさを変化することが、凸部９の延在方向での極度の質量変化を抑える上で好ましい。また、凹部９Ｆは、開口径が２ｍｍ以下とされていることが、空力的な影響、すなわち、周辺の空気を乱流化させて空気の流れのよどみを改善させたり、車両１００の底部を流れる空気流速を増加させたり、乱流境界層を発生させたりする作用に影響が少なく好ましい。また、凹部９Ｆは、図３２に示すように、溝深さｄ２が、凸部９の突出高さｈ以下であることが、凸部９を途中で分断せずに、周辺の空気を乱流化させて空気の流れのよどみを改善させたり、車両１００の底部を流れる空気流速を増加させたり、乱流境界層を発生させたりする作用を得るうえで好ましい。凹部９Ｆの溝深さｄ２は、例えば、凸部９の突出高さｈの９０％以下であることが好ましい。なお、図３２における凸部９の短手方向の断面の三角形状は一例である。また、凹部９Ｆを設ける位置は、凸部９の頂部に限らず側部であってもよい。また、凹部９Ｆの開口形状や深さ形状は、円形状に限らず、様々な形状であってもよい。ただし、円弧で開口縁や底部が形成されているほうが、凸部９へのクラックの発生する要素を除くことができる。
【００７７】
また、本実施形態の空気入りタイヤ１では、図３３に示すように、凸部９の表面に溝９Ｅおよび凹部９Ｆを形成することが好ましい。
【００７８】
この空気入りタイヤ１によれば、溝９Ｅおよび凹部９Ｆが形成されていることにより、凸部９の剛性が低下するため、凸部９によりタイヤサイド部Ｓが剛構造となることによる乗り心地性の低下を抑えることができる。しかも、溝９Ｅおよび凹部９Ｆが形成されていることにより、凸部９の質量が低下するため、凸部９によりタイヤサイド部Ｓの質量増加によるユニフォミティの低下を抑えることができる。
【００７９】
なお、溝９Ｅおよび凹部９Ｆは、図３３において凸部９の延在方向に沿って交互に設けられているが、これに限らず、適宜混在して配置してもよい。
【００８０】
また、本実施形態の空気入りタイヤ１では、各凸部９のタイヤ周方向における間隔が不均一であることが好ましい。
【００８１】
この空気入りタイヤ１によれば、タイヤサイド部Ｓのタイヤサイド面Ｓａに沿う空気流に対して各凸部９のタイヤ周方向の周期性を打ち消すことから、各凸部９から発生する音圧が周波数の違いにより互いに分散されたり打ち消されたりするため、空気入りタイヤ１が生じる騒音（音圧レベル）を低減することができる。
【００８２】
なお、凸部９の間隔とは、空気入りタイヤ１の側面視において、凸部９の端９Ｄからタイヤ径方向に補助線（図示せず）を引き、各凸部９での補助線間の回転軸Ｐを中心とする角度として示される。そして、各凸部９の間隔を不均一にするには、凸部９の形状（突出高さｈや、幅Ｗや、延在方向の長さＬ）やタイヤ周方向やタイヤ径方向に交差する傾きを同じくしてタイヤ周方向のピッチを変えること、形状（突出高さｈや、幅Ｗや、延在方向の長さＬ）を変えること、タイヤ周方向やタイヤ径方向に交差する傾きを変えること、などにより実施することができる。
【００８３】
また、本実施形態の空気入りタイヤ１では、図７〜図１０に示すように、タイヤ周方向で隣接する各凸部９が、タイヤ周方向に対する傾斜角度の符号が異なることが好ましい。
【００８４】
凸部９のタイヤ周方向に対する傾斜角度は、凸部９の延在方向（Ｌ）とタイヤ周方向の接線とのなす角度であり、タイヤ周方向で隣接する各凸部９の傾斜角度が正逆の関係にある。この構成により、車両に装着する際の回転方向性をなくすことで利便性を向上することができる。
【００８５】
また、本実施形態の空気入りタイヤ１では、車両装着時での車両内外の向きが指定されており、少なくとも車両外側となるタイヤサイド部Ｓに凸部９が形成されていることが好ましい。
【００８６】
すなわち、本実施形態の空気入りタイヤ１は、車両１００（図２５および図２７参照）に装着した場合、タイヤ幅方向において、車両１００の内側および外側に対する向きが指定されている。向きの指定は、図には明示しないが、例えば、サイドウォール部４に設けられた指標により示される。このため、車両１００に装着した場合に車両１００の内側に向く側が車両内側となり、車両１００の外側に向く側が車両外側となる。なお、車両内側および車両外側の指定は、車両１００に装着した場合に限らない。例えば、リム組みした場合に、タイヤ幅方向において、車両１００の内側および外側に対するリム５０（図２５および図２７参照）の向きが決まっている。このため、空気入りタイヤ１は、リム組みした場合、タイヤ幅方向において、車両内側および車両外側に対する向きが指定される。
【００８７】
車両外側のタイヤサイド部Ｓは、車両１００への装着時にタイヤハウス１０１から外側に現れるため、この車両外側のタイヤサイド部Ｓに凸部９を設けることで、空気の流れを車両外側に押し出すことができるので、空気入りタイヤ１の進行方向の後側において、タイヤハウス１０１から発生する渦流を細分化する作用を顕著に得ることができ、車両１００の側面１０２に沿う空気の圧力変動が小さくなり車両１００の側面１０２に沿う空気が整流化されて通過音を低減する効果を顕著に得ることができる。
【００８８】
なお、上述した実施形態の空気入りタイヤ１において、凸部９の短手方向の幅Ｗは、０．５ｍｍ以上１０．０ｍｍ以下とされていることが好ましい。凸部９の短手方向の幅Ｗが上記範囲未満であると、凸部９が空気の流れに接触する範囲が小さいことから、凸部９による空気の流れのよどみを改善する効果が得難くなる。一方、凸部９の短手方向の幅Ｗが上記範囲を超えると、凸部９が空気の流れに接触する範囲が大きいことから、凸部９が空気抵抗の増加の原因となったり、タイヤ重量の増加の原因になったりし得る。従って、凸部９の短手方向の幅Ｗを適正化することで、凸部９による空気の流れのよどみを改善する効果を顕著に得ることができる。
【００８９】
また、凸部９は、タイヤ周方向でのピッチが、トレッド部２のラグ溝のタイヤ周方向でのピッチに対して等ピッチでも、異なるピッチでもよい。凸部９のタイヤ周方向でのピッチを、トレッド部２のラグ溝のタイヤ周方向でのピッチに対して異ならせると、凸部９から発生する音圧と、ラグ溝による音圧とが周波数の違いにより互いに分散や打ち消しされるため、ラグ溝により発生するパターンノイズを低減することができる。なお、凸部９のタイヤ周方向でのピッチを異ならせるラグ溝は、複数の主溝２２によりタイヤ幅方向に複数区画形成されたリブ状の陸部２３における全てのラグ溝を含む。ただし、ラグ溝により発生するパターンノイズを低減する効果を顕著に得るには、凸部９に最も近くに配置されるタイヤ幅方向最外側のラグ溝のピッチに対して凸部９のタイヤ周方向でのピッチを異ならせることが好ましい。
【実施例】
【００９０】
本実施例では、条件が異なる複数種類の空気入りタイヤについて、通過音低減性能、リフト低減性能、空気抵抗低減性能、ユニフォミティ、凸部耐久性能、および乗り心地性能に関する試験が行われた（図３４および図３５参照）。【００９１】
通過音低減性能の試験は、１９５／６５Ｒ１５のタイヤサイズの試験タイヤを、正規リム（１５×６Ｊ）にリム組みし、正規内圧を充填した。そして、この試験タイヤを試験車両（モータアシスト付き乗用車）に装着してＩＳＯ路面のテストコースを５０ｋｍ／ｈで走行したときの通過音（車外騒音）が測定される。そして、各従来例の測定値（通過音ｄＢ）を基準値（１００）とした指数評価が行われる。この評価は、その数値が大きいほど通過音が小さく通過音低減性能が優れていることを示している。【００９２】
リフト低減性能および空気抵抗低減性能の試験は、モータアシスト付き乗用車のボディモデルに１９５／６５Ｒ１５のタイヤサイズのタイヤモデルを装着した車両モデルのシミュレーションにおいて、走行速度８０ｋｍ／ｈ相当で走行した場合の風洞試験を行い、その空力抵抗係数により格子ボルツマン法による流体解析ソフトウェアを用いて空力特性（リフト低減性能および空気抵抗低減性能）を算出し、算出結果に基づいて、従来例を基準（１００）とした指数評価が行われる。これらの指数評価は、数値が大きいほどリフト低減性能、および空気抵抗低減性能が優れていることを示している。【００９３】
ユニフォミティの試験は、上記試験タイヤにおいて、タイヤユニフォミティＪＡＳＯ  Ｃ６０７「自動車タイヤのユニフォミティ試験法」に規定の方法に準じてラジアルフォースバリエーション（ＬＦＶ）を測定する。そして、この測定結果に基づいて、従来例を基準（１００）とした指数評価が行われる。この指数評価は、数値が大きいほど均一性がよくユニフォミティが優れていることを示している。【００９４】
凸部耐久性能の試験は、室内ドラム耐久試験により上記試験タイヤを時速２４０ｋｍ／ｈで所定時間転動させ、凸部の状態（クラックや破壊の発生）を観察する。そして、この観察結果に基づいて、従来例を基準（１００）とした指数評価が行われる。この指数評価は、数値が大きいほどクラックや破壊の発生が少なく凸部耐久性能が優れていることを示している。【００９５】
乗り心地性能の試験は、上記試験タイヤを上記試験車両に装着し、段差１０ｍｍの凹凸を有する直進テストコースを５０ｋｍ／ｈで実車走行し、パネラー３人による乗り心地のフィーリングテストを実施する。そして、テスト結果３回の平均を、従来例を基準（１００）とした指数で示した指数評価が行われる。この指数評価は、数値が大きいほど乗り心地性能が優れていることを示している。【００９６】
図３４において、従来例の空気入りタイヤは、図３６に示す形態であり、タイヤサイド部Ｓに凸部１０が設けられているが、この凸部１０は、短手方向の断面形状が図１２に示す三角形状であって、タイヤ径方向に沿って延在して、突出高さおよび短手方向の幅が延在方向で均一に形成されてタイヤ最大幅位置Ｈに交差して設けられ、タイヤ周方向に等間隔で配置されている。【００９７】
一方、図３４および図３５において、実施例１〜実施例１５の空気入りタイヤは、図２に示す形態であり、凸部の短手方向の断面形状が図１２に示す三角形状であって、図４に示す凸部を備える。実施例１６の空気入りタイヤは、図７に示す形態であり、凸部の短手方向の断面形状が図１２に示す三角形状であって、図４に示す凸部を備える。また、実施例１および実施例２の空気入りタイヤは中間部の突出高さの最大位置がタイヤ最大幅位置からタイヤ径方向内外にタイヤ断面高さの２０％の範囲に配置される。実施例３〜実施例１６の空気入りタイヤは、中間部の突出高さの最大位置が、タイヤ最大幅位置からタイヤ径方向内外にタイヤ断面高さの１０％の範囲に配置される。その他、各実施例は、適宜規定がなされている。【００９８】
そして、図３４および図３５の試験結果に示すように、各実施例の空気入りタイヤは、通過音低減性能、リフト低減性能、空気抵抗低減性能、ユニフォミティ、凸部耐久性能、および乗り心地性能が改善していることが分かる。
【符号の説明】
【００９９】
１  空気入りタイヤ
９  凸部
９Ａ  中間部
９Ｂ  先端部
９Ｃ  中央
９Ｄ  端
９Ｅ  溝
９Ｆ  凹部
１００  車両
１０１  タイヤハウス
１０２  側面
ｈ  突出高さ
Ｈ  タイヤ最大幅位置
ｈＨ  最大位置
ｈＬ  最小位置
ＨＷ  タイヤ断面幅
Ｓ  タイヤサイド部
Ｓａ  タイヤサイド面
【図１】
2018008716.tif 000003
【図２】
2018008716.tif 000004
【図３】
2018008716.tif 000005
【図４】
2018008716.tif 000006
【図５】
2018008716.tif 000007
【図６】
2018008716.tif 000008
【図７】
2018008716.tif 000009
【図８】
2018008716.tif 000010
【図９】
2018008716.tif 000011
【図１０】
2018008716.tif 000012
【図１１】
2018008716.tif 000013
【図１２】
2018008716.tif 000014
【図１３】
2018008716.tif 000015
【図１４】
2018008716.tif 000016
【図１５】
2018008716.tif 000017
【図１６】
2018008716.tif 000018
【図１７】
2018008716.tif 000019
【図１８】
2018008716.tif 000020
【図１９】
2018008716.tif 000021
【図２０】
2018008716.tif 000022
【図２１】
2018008716.tif 000023
【図２２】
2018008716.tif 000024
【図２３】
2018008716.tif 000025
【図２４】
2018008716.tif 000026
【図２５】
2018008716.tif 000027
【図２６】
2018008716.tif 000028
【図２７】
2018008716.tif 000029
【図２８】
2018008716.tif 000030
【図２９】
2018008716.tif 000031
【図３０】
2018008716.tif 000032
【図３１】
2018008716.tif 000033
【図３２】
2018008716.tif 000034
【図３３】
2018008716.tif 000035
【図３４】
2018008716.tif 000036
【図３５】
2018008716.tif 000037
【図３６】
2018008716.tif 000038
【国際調査報告】
2018008716.tif 000039
2018008716.tif 000040
2018008716.tif 000041
2018008716.tif 000042